(57)【要約】視聴者がコンテンツを視聴している間に配信されてきた広告に興味を覚えた場合、コンテンツの視聴を中断することなくその視聴を終えたとき又は任意のときに広告とインタラクションすることができる広告配信システムを提供する。本発明の広告配信システムは、視聴者が表示手段に表示されているコンテンツを視聴しているときに興味を覚えた広告が表示手段に表示された場合に、所定の操作により、広告の内容に対応する広告情報を記憶手段に記憶させ、記憶手段に記憶された広告情報を呼出して表示手段に表示させることにより、視聴者が時間軸に沿ってコンテンツを視聴することができると共に、視聴者が希望する場合には広告情報に対応する広告内容を時間軸に係わりなく視聴することができるように広告受信を管理する広告受信管理手段を備えている。
2003005262.tif 000002
【特許請求の範囲】
【請求項１】
広告を表示する表示手段と、前記表示手段に表示された前記広告に対応する所定の情報を記憶する記憶手段と、前記表示手段及び前記記憶手段に接続され、視聴者が前記表示手段に表示されているコンテンツを視聴しているときに興味を覚えた広告が該表示手段に表示された場合に、所定の操作により、該広告の内容に対応する広告情報を前記記憶手段に記憶させ、該記憶手段に記憶された該広告情報を呼出して前記表示手段に表示させることにより、該視聴者が時間軸に沿って該コンテンツを視聴することができると共に、該視聴者が希望する場合には該広告情報に対応する広告内容を時間軸に係わりなく視聴することができるように広告受信を管理する広告受信管理手段とを備えていることを特徴とする広告配信システム。
【請求項２】
前記広告受信管理手段は、前記視聴者の個人情報に適した広告を選択するように構成されたことを特徴とする請求項１に記載の広告配信システム。
【請求項３】
前記広告受信管理手段は、前記選択した前記広告の日時情報を前記記憶手段に記憶させるように構成されたことを特徴とする請求項２に記載の広告配信システム。
【請求項４】
前記広告受信管理手段は、前記広告の期限を管理するように構成されたことを特徴とする請求項１〜３のいずれか一項に記載の広告配信システム。
【請求項５】
前記広告受信管理手段は、前記視聴者による広告の情報及び／又は広告の関連情報へのアクセスに関する情報を管理するように構成されたことを特徴とする請求項１〜４のいずれか一項に記載の広告配信システム。
【請求項６】
前記広告は、ブロードバンド広告であることを特徴とする請求項１〜５のいずれか一項に記載の広告配信システム。
【請求項７】
前記ブロードバンド広告は、通信網を介して端末装置に配信される広告であることを特徴とする請求項６に記載の広告配信システム。
【請求項８】
前記通信網は、インターネット又はイントラネットの少なくともいずれか一方又はそれらの組合せであることを特徴とする請求項７に記載の広告配信システム。
【請求項９】
前記端末装置は、パーソナル・コンピュータであることを特徴とする請求項７に記載の広告配信システム。
【請求項１０】
前記端末装置は、固定電話機又は携帯電話機のいずれかであることを特徴とする請求項７に記載の広告配信システム。
【請求項１１】
前記広告は、バナー広告であることを特徴とする請求項１〜５のいずれか一項に記載の広告配信システム。
【請求項１２】
広告を表示する表示手段と、前記表示手段に表示された前記広告に対応する所定の情報を記憶する記憶手段とを備えたシステムにおける広告配信方法であって、
視聴者が前記表示手段に表示されているコンテンツを視聴しているときに興味を覚えた広告が該表示手段に表示された場合に、所定の操作により、該広告の内容に対応する広告情報を前記記憶手段に記憶させる段階と、
前記前記記憶手段に記憶された前記広告情報を呼出して前記表示手段に表示させる段階と、
前記視聴者が前記時間軸に沿って前記コンテンツを視聴することができると共に、該視聴者が希望する場合には前記広告情報に対応する広告内容を時間軸に係わりなく視聴することができるように広告受信を管理する段階とを具備することを特徴とする広告配信方法。
【請求項１３】
前記広告受信を管理する段階は、前記視聴者の個人情報に適した広告を選択する段階を更に具備することを特徴とする請求項１２に記載の広告配信方法。
【請求項１４】
前記広告受信を管理する段階は、前記選択した前記広告の日時情報を前記記憶手段に記憶させる段階を更に具備することを特徴とする請求項１３に記載の広告配信方法。
【請求項１５】
前記広告受信を管理する段階は、前記広告の期限を管理する段階を更に具備することを特徴とする請求項１２〜１４のいずれか一項に記載の広告配信方法。
【請求項１６】
前記広告受信を管理する段階は、前記視聴者による広告の情報及び／又は広告の関連情報へのアクセスに関する情報を管理する段階を更に具備することを特徴とする請求項１２〜１５のいずれか一項に記載の広告配信方法。
【請求項１７】
前記広告は、ブロードバンド広告であることを特徴とする請求項１２〜１６のいずれか一項に記載の広告配信方法。
【請求項１８】
前記ブロードバンド広告は、通信網を介して端末装置に配信される広告であることを特徴とする請求項１７に記載の広告配信方法。
【請求項１９】
前記通信網は、インターネット又はイントラネットの少なくともいずれか一方又はそれらの組合せであることをことを特徴とする請求項１８に記載の広告配信方法。
【請求項２０】
前記端末装置は、パーソナル・コンピュータであることを特徴とする請求項１８に記載の広告配信方法。
【請求項２１】
前記端末装置は、固定電話機又は携帯電話機のいずれかであることを特徴とする請求項１８に記載の広告配信方法。
【請求項２２】
前記広告は、バナー広告であることを特徴とする請求項１２〜１６のいずれか一項に記載の広告配信方法。
【発明の詳細な説明】
発明の分野
本発明は、ブロードバンド等の大容量通信方式による動画像を利用した広告配信に関し、特には、大容量通信方式に適用可能な双方向型媒体（インタラクティブ・メディア）による動画像や音楽、音声を利用した広告配信システム及び広告配信方法に関する。
発明の背景
一般に知られている広告配信方法は、媒体社（メディア）側から一方的に視聴者や読者に対して広告を配信する形式のものであった。
インターネット等の通信網の発展により、バナー広告やメール広告などのように視聴者や読者（以下、“ユーザ”と称する）と広告主が双方向でインタラクト（対話）又はコミュニケート（通信）することが可能な双方向型媒体を利用することができるようになってきた。
このような双方向型媒体を利用したインタラクション又はコミュニケーションは、インターネットの帯域がナローバンド（狭帯域）なので、広告（例えば、バナー広告）としては静止画やアニメーション程度のものであり、コンテンツも文字情報や静止画等のように、全体の情報量が少ないものが中心であった。
そのため、インターネット等により端末のブラウザにコンテンツと同時に表示されるバナー広告は、新聞や雑誌に掲載されている広告と同様に、気になるバナー広告がブラウザに表示された場合には、ユーザが一時的にバナー広告に注目しても、ユーザは、コンテンツに容易に戻ることが可能であった。即ち、ユーザの思考がバナー広告に移行している間に時間が経過しても、文字情報や静止画等で構成されているコンテンツが更新されない限り、バナー広告をクリックする前のコンテンツに容易に戻ることが可能である。
動画や映像、音楽、音声などは、テキストや静止画と比較して容量が大きく、全ての情報量を伝達するために大容量の回線を使用する必要があった。
近年、インターネット等の通信網に利用される帯域がナローバンドからブロードバンドに移行しており、それにより従来では不可能とされていた様々なコンテンツ・サービスが可能になってきた。その一つとして動画によるコンテンツ及び広告の配信がある。
ブロードバンドにおける動画音楽、音声による広告配信は、従来のテレビやラジオのような放送メディア並みのサービスを可能にする。また、放送メディアでは放送可能地域という物理的な制限があったが、インターネットでは国境を越え、世界へ同時に発信することも可能である。
従来のテレビやラジオの放送メディアは、放送局から時間軸に沿って番組（コンテンツ）と広告を放送しているので、視聴者が放送を視聴している間に興味を覚えた（関心を持った）広告に遭遇した場合、その広告に表示されている内容を記録するためには、視聴者は、その広告に表示されている内容をメモに書き留めるかビデオ等で録画していた。
また、テレビやラジオの広告内に表現されている内容についてアクセスする場合には、テレビやラジオ以外の別の通信手段（例えば、電話、ファックス、インターネット等）を使用したオフ・ライン方式となり、視聴者とメディアとがインタラクティブに構成されていなかったが、ＢＳデジタル放送やＣＳデジタル放送では、広告配信方法がインタラクティブとなり、放送局と接続してアンケートに答えたり、サンプルを応募できるようになった。
しかしながら、上述した従来のインタラクティブな広告配信方法では、広告の部分に深く入って行くと（即ち、広告をディープ・アクセスすると）、視聴者は、今迄見ていた番組コンテンツよりも広告コンテンツに興味を覚えてしまい、広告とのインタラクション時間が長くなり、時間軸で流している番組コンテンツへ戻っても、番組コンテンツを見ることができなかった時間帯が発生して、番組コンテンツのストーリーに追従できない場合や、たとえ番組コンテンツをその間停止することが可能であっても、番組への興味が広告内容より高いために、広告とのインタラクション機能が使われない場合があるという問題点があった。
発明の目的及び概要
本発明は、上記従来の広告配信方法における問題点に鑑みてなされたものであり、視聴者がコンテンツを視聴している間に配信されてきた広告に興味を覚えた場合、そのコンテンツの視聴を停止又は中断することなく、当該コンテンツの視聴を終えたとき又は任意のときにその興味を覚えた広告とインタラクションすることができる広告配信システム及び広告配信方法を提供することをその課題とする。
本発明の上記課題は、広告を表示する表示手段と、表示手段に表示された広告に対応する所定の情報を記憶する記憶手段と、表示手段及び記憶手段に接続され、視聴者が表示手段に表示されているコンテンツを視聴しているときに興味を覚えた広告が表示手段に表示された場合に、所定の操作により、広告の内容に対応する広告情報を記憶手段に記憶させ、記憶手段に記憶された広告情報を呼出して表示手段に表示させることにより、視聴者が時間軸に沿ってコンテンツを視聴することができると共に、視聴者が希望する場合には広告情報に対応する広告内容を時間軸に係わりなく視聴することができるように広告受信を管理する広告受信管理手段とを備えている広告配信システムによって達成される。
また、本発明の上記課題は、広告を表示する表示手段と、表示手段に表示された広告に対応する所定の情報を記憶する記憶手段とを備えたシステムにおける広告配信方法であって、視聴者が表示手段に表示されているコンテンツを視聴しているときに興味を覚えた広告が表示手段に表示された場合に、所定の操作により、広告の内容に対応する広告情報を記憶手段に記憶させる段階と、記憶手段に記憶された広告情報を呼出して表示手段に表示させる段階と、視聴者が時間軸に沿ってコンテンツを視聴することができると共に、視聴者が希望する場合には広告情報に対応する広告内容を時間軸に係わりなく視聴することができるように広告受信を管理する段階とを具備する広告配信方法によって達成される。
本発明の広告配信システムによれば、広告受信管理手段は、視聴者の個人情報に適した広告を選択するように構成されてもよい。
本発明の広告配信システムによれば、広告受信管理手段は、選択した広告の日時情報を記憶手段に記憶させるように構成されてもよい。
本発明の広告配信システムによれば、広告受信管理手段は、広告の期限を管理するように構成されてもよい。
本発明の広告配信システムによれば、広告受信管理手段は、視聴者による広告の情報及び／又は広告の関連情報へのアクセスに関する情報を管理するように構成されてもよい。
本発明の広告配信システムによれば、広告は、プロードバンド広告であってもよい。
本発明の広告配信システムによれば、ブロードバンド広告は、通信網を介して端末装置に配信される広告であってもよい。
本発明の広告配信システムによれば、通信網は、インターネット又はイントラネットの少なくともいずれか一方又はそれらの組合せであってもよい。
本発明の広告配信システムによれば、端末装置は、パーソナル・コンピュータであってもよい。
本発明の広告配信システムによれば、端末装置は、固定電話機又は携帯電話機のいずれかであってもよい。
本発明の広告配信システムによれば、広告は、バナー広告であってもよい。
本発明の広告配信方法によれば、広告受信を管理する段階は、視聴者の個人情報に適した広告を選択する段階を更に具備してもよい。
本発明の広告配信方法によれば、広告受信を管理する段階は、選択した広告の日時情報を記憶手段に記憶させる段階を更に具備してもよい。
本発明の広告配信方法によれば、広告受信を管理する段階は、広告の期限を管理する段階を更に具備してもよい。
本発明の広告配信方法によれば、広告受信を管理する段階は、視聴者による広告の情報及び／又は広告の関連情報へのアクセスに関する情報を管理する段階を更に具備してもよい。
本発明の広告配信方法によれば、広告は、ブロードバンド広告であってもよい。
本発明の広告配信方法によれば、ブロードバンド広告は、通信網を介して端末装置に配信される広告であってもよい。
本発明の広告配信方法によれば、通信網は、インターネット又はイントラネットの少なくともいずれか一方又はそれらの組合せであってもよい。
本発明の広告配信方法によれば、端末装置は、パーソナル・コンピュータであってもよい。
本発明の広告配信方法によれば、端末装置は、固定電話機又は携帯電話機のいずれかであってもよい。
本発明の広告配信方法によれば、広告は、バナー広告であってもよい。
実施例
以下、添付した図面を参照して、本発明による広告配信システムの好ましい実施例を説明する。
図１は、本発明による広告配信システムの一実施例の構成を示す概略構成図である。
図１の広告配信システム１０は、通信網としてのインターネット１６に接続されており、インターネット１６には、（１）広告主１１から広告の制作を依頼された広告会社側に設置され、コンピュータ１２ａ、広告配信サーバ１２ｂ、広告関連情報サーバ１２ｃを備えており、広告主１１から依頼された広告及び広告情報を登録するように構成されているシステム１２と、（２）メディアレップ側に設置され、コンピュータ１３ａ、広告キャッシュ・サーバ１３ｂを備えており、広告会社側のシステム１２から送信された広告及び広告情報を登録するように構成されているシステム１３と、（３）視聴者側に設置され、コンピュータ１４ａ、ルータ１４ｂ、及びＡＤ  Ｐｏｃｋｅｔ（アド・ポケット）アプリケーション１４ｃを備えており、視聴者にコンテンツ及び広告を表示すると共に、視聴者からの要求に応じて所望の広告及び広告情報を表示するように構成されているシステム１４とを備えている。
次に、図１に示すアド・ポケット・アプリケーション１４ｃの中枢をなすアド・ポケット１５について説明する。
図２は、表示装置の画面上にアイコンとして表示されるアド・ポケット１５の一例を示す図であり、図３は、アド・ポケット１５の一構成例を示す概略ブロック図である。
図２にアイコンとして表示装置の画面上に表示したアド・ポケット１５は、図３に示すように、広告のデータ、または広告データへのリンク情報を記憶する広告データ記憶部１５ａ、広告の情報、または広告情報へのリンク情報を記憶する広告情報記憶部１５ｂ、広告情報、または広告情報へのリンク情報など少なくとも一方又は両方を表示する広告表示部１５ｃ、視聴者の個人情報に適した広告を選択し、選択した広告の日時情報を広告情報記憶部１５ｂに記憶させ、広告の期限を管理し、視聴者による広告の情報及び／又は広告の関連情報へのアクセスに関する情報を管理する広告受信管理部１５ｄ、及びユーザが視聴した広告視聴情報を当該ユーザの同意に基づき指定のサーバへ返信する広告情報返信部１５ｅを備えている。
上記広告情報とは、広告選択時間、広告主、広告商品、視聴時間、広告記憶状態、広告関連情報、サービス内容等を言う。その中で、上記広告記憶状態には、広告がユーザー端末以外の記憶装置に記憶されている場合も含み、広告へのリンク情報やリンク条件が広告情報となる。上記広告関連情報には、広告関連情報が、ユーザー端末以外の記憶装置に記憶されている場合も含み、広告関連情報へのリンク情報やリンク条件が広告情報となる。
ここで、上記広告視聴情報としては、▲１▼誰が、▲２▼どの広告を、▲３▼どの時間に、▲４▼どれ位の期間（どれ位の時間）、▲５▼どのように見られた（リアルタイム、後から）等を含むものとするが、本発明の広告視聴情報は、これらに限定されるものではなく、様々なバリエーションで構成することができるものである。
本実施例では、上述した広告受信管理部１５ｄは、プログラムで実施されるものとする。そして、プログラムに記載された広告受信管理部１５ｄに対応する機能は、図２に示すように、システム１４のタスクのとして常駐するものとする。
また、アド・ポケット１５の上述した他の構成部分を、広告配信管理部１５ｄと同様に、プログラムで実施してもよい。
ＡＤ  Ｐｏｃｋｅ１５の上述した各構成部分が実際に機能するために、以下に示す事項が広告に予めサポートされていることを必要とする；
▲１▼広告主情報（例えば、広告番号、広告主、ＵＲＬ情報、サービス情報、配信地区等）が入力されていること；及び
▲２▼広告期限が入力されていること（未入力の場合には、アド・ポケット１５側で設定される）。
また、必須ではないが、以下のサポートも行われることが望ましい；
▲３▼広告の対象者情報（例えば、配信地区、配信対象年齢、ユーザ属性（性別、嗜好等）等）が入力されていること。
配信される広告には、広告ＩＤ番号と特定のリンク番号しか付与されておらず、広告に選択信号が入力された瞬間に、該広告ＩＤ番号及び該特定のリンク番号をもとに、その他の情報をネットワークを介して自動的に取得し、アドポケットに記憶し、表示することもできる。
本実施例では、アド・ポケット１５に対して受信する広告のファイル形式は、著作権の関係上、ストリーム型のファイル形式であることが望ましいが、ダウンロード型であってもよい。しかし、ダウンロード型の場合には、予めユーザの了解を事前に得ておくことが必要である。
次に、図４〜図６を参照して、アド・ポケット１５の動作を説明する。
図４は、ブロードバンドに対応しているＡＤ  Ｐｏｃｋｅｔアプリケーションの設定動作を説明するためのフロー図である。
まず、ブロードバンド広告に対応した広告配信システムであることを確認すると共に、当該広告配信システムにアド・ポケット１５が既にインストールされているかどうかを判断し（ステップＳ１）、上記ステップＳ１でアド・ポケット１５がまだインストールされていないと判断された場合には、アド・ポケット・アプリケーション１４ｃをダウンロードし（ステップＳ２）、アド・ポケット・アプリケーション１４ｃをインストールする（ステップＳ３）。上記ステップＳ３でＡＤ  Ｐｏｃｋｅｔアプリケーションがインストールされたならば、ユーザは、個人情報を入力し（ステップＳ４）、ブロードバンド広告の記憶先を設定し（ステップＳ５）、ネットワークに接続することにより、アド・ポケット１５が使用可能になる（ステップＳ６）。上記ステップＳでアド・ポケット１５が既にインストールされていると判断された場合には、上記ステップＳ６に進み、ネットワークに接続することにより、アド・ポケット１５が使用可能になる（ステップＳ６）。
本発明において、ブロードバンド広告とは、インターネット及びイントラネットを含めた通信ネットワーク上からパソコンや電話（固定並びに携帯）へ広告が配信される場合の広告を表すものとする。
次いで、図５のフロー図を参照して、アド・ポケット・アプリケーション１４ｃを起動するための動作を説明する。
まず、ブロードバンド広告に対応しているアド・ポケット・アプリケーション１４ｃのタスクが待機していることを確認し（ステップＳＴ１）、タスクが待機している場合には、マウス及び／又はキーボードからブロードバンド広告に選択信号が入力されたかどうかを判断し（ステップＳＴ２）、上記ステップＳＴ２で選択信号が入力されたと判断された場合には、アド・ポケットに選択された広告情報を伝達し（ステップＳＴ３）、アド・ポケット・アプリケーション１４ｃにて選択時間とその選択時間に対応する広告情報とを記憶する（ステップＳＴ４）。
また、上記ステップＳＴ２で選択信号が入力されていないと判断された場合には、上記ステップＳＴ１に戻ってタスクを待機する（ステップＳＴ１）。
図６は、アド・ポケット１５の使用について説明するための説明図である。図６に示すように、アド・ポケット１５を使用することにより、ユーザにより選択された広告情報に対して、図２に示す各項目に対応する項目をそれぞれ表示する（ステップＳＵ１）。その表示項目は、一例として順番に、広告選択時間（ステップＳＵ２）、広告主・広告商品名（ステップＳＵ３）、広告視聴時間・広告記憶状態（ステップＳＵ４）、広告関連情報（ステップＳＵ５）、及びサービス内容（ステップＳＵ６）をそれぞれ表示する（ステップＳＵ７）。選択された広告及び／又は関連情報に応じて、ローカル・ディスクにアクセスしたり（ステップＳＵ８）、ネットワークに接続する（ステップＳＵ９）。
本発明のアド・ポケットを用いることにより、ブロードバンドの広告において、表示装置に表示されているコンテンツを視聴しているときに、視聴者が興味を覚えた広告が表示装置に表示された場合に、時間軸に沿ってその広告に移動するか又は直接移動せずに、その広告内容をチェックする信号を外部より供給して、該信号がチェックした広告内容に対応する広告情報を記憶装置に記憶するように構成したので、視聴者は、コンテンツを時間軸に沿って視聴することができると共に、記憶装置から広告情報を呼出すことにより対応した広告内容を視聴することができる。
ここで、「時間軸に沿ってその広告に移動する」ということは、広告がインタラクティブ情報付きＣＭ（動画広告）であった場合には、視聴者に、ＣＭだけは、時間軸に沿って視聴してもらい、インタラクティブによる情報は、コンテンツ視聴後に呼び出せるように、記憶しておくことである。
即ち、図７に示すように、モニタに表示されたブロードバンド広告内でマウスをクリックするか又は特定のキーを入力することにより、視聴者は、その広告に興味があることを伝達する。そして、広告管理アプリケーションに選択した広告情報を記憶する。これにより、ブロードバンド広告情報は、視聴者が好きな時に広告管理アプリケーションから自由に閲覧可能になる。また、広告管理アプリケーションでは、広告のみならず、その関連情報もアクセス可能になる。
図８は、アド・ポケットの使用を具体的に説明するための図である。
まず、アド・ポケットの使用としては、アド・ポケットの内容を一覧するためのアド・ポケット一覧がある。図８（ａ）に示すように、アド・ポケットの表示において、「アド・ポケット一覧」の項目をマウスでクリックすることにより、図示したような内容が表示される：
（Ｉ）図８の１）に示すように、ブロードバンドのコンテンツが終了した後に、チェックしたブロードバンド広告を表示装置に表示させてその広告のコンテンツを見る。図示の例では、ＡＢＣ自動車の広告表示が可能である旨が表示されているので、ここにアイコンを移行させてマウスをダブル・クリックすることにより、ＡＢＣ自動車のブロードバンド広告のコンテンツを見ることができる；
（ＩＩ）図８の２）に示すように、ブロードバンドのコンテンツが終了した後に、チェックしたブロードバンド広告のＵＲＬへアクセスして、該ブロードバンド広告に関連する情報（関連情報）を表示装置に表示させてその関連情報を見る。図示の例では、ＡＢＣ自動車のＵＲＬであるｗｗｗ．ａｂｃ−ｍ．ｃｏ．ｊｐにアクセスして、そのＵＲＬのサイトにある関連情報を見ることができる；
（ＩＩＩ）図８の３）に示すように、ブロードバンドのコンテンツが終了した後に、チェックしたブロードバンド広告のサービスを受ける。図示の例では、サービス機能として「カタログ希望」が示されており、視聴者は、ＡＢＣ自動車のカタログを請求することができる。
次に、アド・ポケットの使用としては、アド・ポケットの視聴者がチェックしておいた希望広告の一覧がある。図８（ｂ）に示すように、アド・ポケットの表示において、「ユーザ希望広告」の項目をマウスでクリックすることにより、視聴者が予めチェックしておいた広告に関して、図８の４）に示すような内容が表示される。これら表示された広告に関しては、上述した図８（ａ）の場合と同様に機能するものである。
更に、アド・ポケットの使用としては、アド・ポケットの視聴者がチェックしておいた希望広告（ｂ）だけでなく、（ａ）の場合に対して、その広告期限が切れた広告について、図８（ｃ）に示すように、アド・ポケットは、その広告を自動的に選択できない状態にすることができる。
上述した実施例では、広告は、ブロードバンド広告として説明したが、本発明は、これに限定されるものではなく通信を用いた様々なタイプの広告に対して適用することができる。その例としては、インターネットにおける広告として一般的に用いられているバナー広告が考えられる。
本発明の別の実施例としては、広告（ＣＭ）を認識する手段として、広告に認識番号（所謂、背番号）をアタッチして、この背番号に基づきＣＭを認識することが考えられる。この場合には、広告の背番号情報のみをアド・ポケットが管理して、この背番号に基づき広告サーバにて広告関連情報を検索して、所望の広告関連情報を獲得するように構成してもよい。
この実施例では、広告関連情報として、これらに限定されないが、▲１▼アクセス先ＵＲＬ、▲２▼商品情報、▲３▼広告情報（広告ソング名（曲名、歌手名等））、▲４▼広告出演タレント情報、等を含むことが考えられる。
また、更に別の実施例としては、アド・ポケットを発展されて、広告エージェント機能を備えるように構成してもよい。
この実施例では、上述した実施例における内容に加えて、以下のものを更に考慮する：
▲１▼視聴者の広告に対する行動履歴収集
（▲１▼ａ）アド・ポケットに登録した広告をチェックする（トリガーとなったコンテンツ［番組やチャンネル情報など］をＡＤ  Ｐｏｃｋｅｔに入れた時間等の履歴）；
（▲１▼ｂ）アド・ポケットに登録した広告情報へのアクセス状況をチェックする（アクセスの有無、アクセス時間、アクセス長さ、アクセス回数など）；
▲２▼視聴者興味・関心領域分析
上記より、遺伝的アルゴリズム等の人口知能的手法を用いて各視聴者の広告に対する興味・関心領域を分析する；
▲３▼アド・ポケットのエージェント化
（▲３▼ａ）各視聴者に対するお勧め広告情報をアド・ポケットに自律的に登録する；
（▲３▼ｂ）各視聴者への広告提供時（コンテンツへの挿入等）に、なるべくユーザーの興味・関心に合うような広告を選択するようにする。
上記▲１▼〜▲３▼を繰り返すことによって、より視聴者に合った広告情報を提供するエージェント機能を構成する。
即ち、この広告エージェント機能は、視聴者（ユーザ）が希望する情報に基づき、遺伝的アルゴリズム等の人工知能的手法を用いて広告関連情報を収集するものである。その際、視聴者が希望するキャラクターを上記広告エージェントとして表示装置の画面上に登場させてその機能を実行させるように構成してもよい。キャラクターとしては、視聴者が希望のキャラクターを選択するようにしてもよいが、著作権、肖像権等の問題が発生する場合もありうるので、広告配信システムとして、それらの情報管理を実行することができる機能を備えてもよい。
本発明は、上述した広告配信を実現させるためのプログラム、及び該プログラムを記録したコンピュータ読み取り可能な記録媒体もその範疇に属するものとする。これを実現するのは広告のみならず番組等のコンテンツ（番組内の飲食店情報（店名、住所、電話番号など）等のインフォメーション情報など）であってもよい。
本発明の広告配信システム及び広告配信方法によれば、ブロードバンドやバナー広告等の広告配信において、表示装置に表示されているコンテンツを視聴しているときに、視聴者が興味を覚えた広告が表示装置に表示された場合に、時間軸に沿ってその広告に直接移動せずに、その広告内容をチェックして、該チェックした広告内容に対応する広告情報を記憶装置に記憶するように構成したので、視聴者は、コンテンツを時間軸に沿って視聴することができると共に、記憶装置やネットワークから広告情報を呼出すことにより、対応した広告内容を視聴することができる。即ち、表示装置であるモニタに表示された広告内でマウスをクリックするか又は特定のキーを入力することにより、視聴者は、その広告に興味があることを伝達して、選択した広告情報を記憶装置に記憶する。これにより、広告情報は、視聴者が好きな時に自由に閲覧可能になる。また、広告のみならず、その関連情報もアクセス可能になる。
本発明は、その精神または主要な特徴から逸脱することなく、他のいろいろな形で実施することができる。そのため、上述した実施例は、あらゆる点で単なる例示にすぎず、限定的に解釈してはならない。本発明の範囲は、請求の範囲によって示すものであって、明細書本文には、なんら拘束されない。更に、請求の範囲の均等範囲に属する変形や変更は、全て本発明の範囲内のものである。
【図面の簡単な説明】
図１は、本発明による広告配信システムの一実施例の構成を示す概略構成図である；
図２は、図１の広告配信システムの主要部を構成するアド・ポケットを表示装置の画面上でアイコンとして表示した場合における好ましい実施の形態を示す図である；
図３は、図１の広告配信システムの主要部を構成するアド・ポケットの一構成例を示す概略ブロック図である；
図４は、図１の広告配信システムの主要部を構成するアド・ポケットの動作を説明するためのフロー図である；
図５は、図１の広告配信システムの主要部を構成するアド・ポケットの動作を説明するためのフロー図である；
図６は、図１の広告配信システムの主要部を構成するアド・ポケットの動作を説明するための説明図である；
図７は、図１の広告配信システムの主要部を構成するアド・ポケットの動作を説明するための説明図である；
図８は、図１の広告配信システムの主要部を構成するアド・ポケットの使用を具体的に説明するための図である。
【図１】
2003005262.tif 000003
【図２】
2003005262.tif 000004
【図３】
2003005262.tif 000005
【図４】
2003005262.tif 000006
【図５】
2003005262.tif 000007
【図６】
2003005262.tif 000008
【図７】
2003005262.tif 000009
【図８】
2003005262.tif 000010
【手続補正書】
【提出日】平成14年12月13日(2002.12.13)
【手続補正１】
【補正対象書類名】明細書
【補正対象項目名】請求項１
【補正方法】変更
【補正の内容】
【請求項１】
コンテンツおよび／または広告を表示する表示手段と、
前記表示手段に表示された前記広告に対応し、当該広告によって想起されるインタラクションを促す情報を記憶する記憶手段と、
前記表示手段及び前記記憶手段に接続され、視聴者が前記表示手段に表示されている前記広告を視聴しているときに、前記視聴者が前記広告とインタラクションを行うことを希望する場合には、所定の操作に基づき前記広告によって想起される前記インタラクションを促す情報を前記記憶手段から呼び出して前記表示手段に表示させ、前記表示手段に表示された前記インタラクションを促す情報に対応するインタラクションを時間軸に係わりなく実行可能にするように構成された管理手段とを備えていることを特徴とする広告配信システム。
【国際調査報告】
2003005262.tif 000011
2003005262.tif 000012